(57)【要約】【課題】使用者に対する快適性を向上させて、エネルギー消費量の削減を実現すること。【解決手段】エアコン室内機１００は、室内の温度を検知する室温センサ１０８と、電気機器１１０，１２０から、消費電力と動作状態を取得するＩ／Ｆ１０１と、取得した消費電力および動作状態と室内の温度とに基づいて、室内の温度から目標の設定温度に到達するまでの設定温度到達時間ｔｃを算出する算出部１０３と、設定温度到達時間ｔｃと所定の第１基準時間との大小を判断する判断部１０２と、判断の結果に基づいて所定の処理を行う制御部１０４と、を備えた。【選択図】図１
2011038705.tif 000002
【特許請求の範囲】
【請求項１】
電気機器とネットワークで接続された空調装置であって、
前記空調装置が設置されている室内の温度を検知する温度検出手段と、
前記電気機器から、前記電気機器の消費電力と動作状態を取得する取得手段と、
取得した消費電力および動作状態と前記室内の温度とに基づいて、前記室内の温度から目標の設定温度に到達するまでの第１設定温度到達時間を算出する算出手段と、
前記第１設定温度到達時間と所定の第１基準時間との大小を判断する判断手段と、
判断の結果に基づいて所定の処理を行う制御手段と、
を備えたことを特徴とする空調装置。
【請求項２】
前記制御手段は、前記第１設定温度到達時間が前記第１基準時間よりも大きい場合に、前記所定の処理として、冷房運転の強度を増加させることにより、室温調整を制御することを特徴とする請求項１に記載の空調装置。
【請求項３】
前記制御手段は、さらに、前記第１設定温度到達時間が前記第１基準時間よりも小さい場合に、前記所定の処理として、暖房運転の強度を減少させることにより、室温調整を制御することを特徴とする請求項１または２に記載の空調装置。
【請求項４】
前記算出手段は、さらに、前記室内の温度と前記消費電力と前記動作状態とに基づいて、前記動作状態を、前記電気機器の発熱量が現在の発熱量より低い状態に切り替えた場合における、前記室内の温度から前記設定温度に到達するまでの第２設定温度到達時間を算出し、
前記判断手段は、前記第１設定温度到達時間と第２設定温度到達時間との差分と、所定の第２基準時間との大小を判断し、
前記制御手段は、前記差分が前記第２基準時間より大きい場合に、前記所定の処理として、前記電気機器の発熱量が現在の発熱量より低い状態に切り換えるべき旨を報知することを特徴とする請求項１に記載の空調装置。
【請求項５】
前記算出手段は、前記第２設定温度到達時間として、前記電気機器を停止した場合における、前記室内の温度から前記設定温度に到達するまでの時間を算出し、
前記制御手段は、前記差分が前記第２基準時間より大きい場合に、前記所定の処理として、前記電気機器を停止すべき旨を報知することを特徴とする請求項４に記載の空調装置。
【請求項６】
前記算出手段は、さらに、前記消費電力と前記動作状態と前記室内の温度に基づいて、前記動作状態を、前記電気機器の発熱量が現在の発熱量より低い状態に切り替えた場合における、前記室内の温度から前記設定温度に到達するまでの第２設定温度到達時間を算出し、
前記判断手段は、前記第１設定温度到達時間と第２設定温度到達時間との差分と、所定の第２基準時間との大小を判断し、
前記制御手段は、前記差分が前記第２基準時間より大きい場合に、前記所定の処理として、前記電気機器に対して、発熱量が現在の発熱量より低い状態に切り換える制御を行うことを特徴とする請求項１に記載の空調装置。
【請求項７】
人体を検知する検知する人体検出手段を更に備え、
前記制御手段は、前記差分が前記第２基準時間より大きい場合に、前記人体検出手段により人体を検知したか否かを判断し、人体を検知していない場合に、前記電気機器に対して、発熱量が現在の発熱量より低い状態に切り換える制御を行うことを特徴とする請求項６に記載の空調装置。
【請求項８】
前記制御手段は、前記差分が前記第２基準時間より大きい場合であって、前記人体検出手段によって人体を検知した場合に、前記電気機器に対して、発熱量が現在の発熱量より低い状態に切り換えるべき旨を報知することを特徴とする請求項７に記載の空調装置。
【請求項９】
電気機器と、空調を制御する空調装置とを備えた空調システムであって、
前記空調装置は、
前記空調装置が設置されている室内の温度を検知する温度検出手段と、
前記電気機器から、前記電気機器の消費電力と動作状態を受信する取得手段と、
取得した消費電力および動作状態と前記室内の温度とに基づいて、前記室内の温度から目標の設定温度に到達するまでの第１設定温度到達時間を算出する算出手段と、
前記第１設定温度到達時間と所定の第１基準時間との大小を判断する判断手段と、
判断の結果に基づいて所定の処理を行う制御手段と、を備え、
前記電気機器は、
前記消費電力と前記動作状態とを、ネットワークを介して前記空調装置に送信することを特徴とする空調システム。
【請求項１０】
前記算出手段は、さらに、前記消費電力と前記動作状態と前記室内の温度とに基づいて、前記動作状態を、前記電気機器の発熱量が現在の発熱量より低い低発熱状態に切り替えた場合における、前記室内の温度から前記設定温度に到達するまでの第２設定温度到達時間を算出し、
前記判断手段は、前記第１設定温度到達時間と第２設定温度到達時間との差分と、所定の第２基準時間との大小を判断し、
前記制御手段は、前記差分が前記第２基準時間より大きい場合に、前記所定の処理として、前記電気機器に対して、前記動作状態を前記低発熱状態に切り換える旨の切り換え指令を送信し、
前記電気機器は、
前記切り換え指令を受信した場合に、前記動作状態を前記低発熱状態に切り換えることを特徴とする請求項９に記載の空調システム。
【請求項１１】
前記電気機器と接続されるとともに、前記ネットワークに接続される仲介機をさらに備え、
前記仲介機は、前記電気機器の前記消費電力と前記動作状態とを前記電気機器から取得して、取得した前記消費電力と前記動作状態とを、前記ネットワークを介して前記空調装置に送信することを特徴とする請求項１０に記載の空調システム。
【請求項１２】
電気機器とネットワークで接続された空調装置で実行される空調制御方法であって、
前記空調装置が設置されている室内の温度を検知する温度検出ステップと、
前記電気機器から、前記電気機器の消費電力と動作状態を取得する取得ステップと、
取得した消費電力および動作状態と前記室内の温度とに基づいて、前記室内の温度から目標の設定温度に到達するまでの第１設定温度到達時間を算出する算出ステップと、
前記第１設定温度到達時間と所定の第１基準時間との大小を判断する判断ステップと、
判断の結果に基づいて所定の処理を行う制御ステップと、
を含むことを特徴とする空調制御方法。
【発明の詳細な説明】
【技術分野】
【０００１】
本発明は、空調制御を行う空調装置、空調システムおよび空調制御方法に関する。
【背景技術】
【０００２】
従来の空気調和装置（以下、「空調装置」という。）は、装置本体もしくは装置本体に接続されたリモートコントローラに設置された温度センサにより室温を測定し、使用者によって設定された目標温度（以下、設定温度という）に室温が一致するように動作を制御することによって、室温の調整を行う。このような空調装置では、同室に他の暖房装置を設置して使用した場合、空調装置と他の暖房装置とが独立して動作するため、室温が設定温度を超えて、快適性が損なわれるばかりでなく、全体として無駄なエネルギーを消費することになる。
【０００３】
そのため、従来から、空調装置と床暖房装置等の他の暖房装置を協調動作させる方法として、空調装置と他の暖房装置を機器コントロール装置に接続し、機器コントロール装置により、試運転で行われる床温センサを用いた床温度上昇確認の際に、部屋の熱的特性を把握することによって、床の表面温度を予測し、ネットワークに接続した床暖房装置と空調装置とを併用した場合に、快適性を損なわない範囲で、省エネルギー化または、低コスト、またはＣＯ2排出量を低減する制御を行う技術が知られている（例えば、特許文献１参照）。
【先行技術文献】
【特許文献】
【０００４】
【特許文献１】特開２００５−５５１０２号公報
【発明の概要】
【発明が解決しようとする課題】
【０００５】
しかしながら、従来の空調装置では、協調動作を行う装置は暖房装置に限られており、熱を発生する電気機器については考慮されていない。しかしながら部屋で調理機器、アイロンなどの熱を利用する機器を使用する場合にはそれらの機器の発熱の影響も考えられる。また、ＰＣ（パーソナルコンピュータ）やテレビ等の電気機器から発生する熱も無視できない場合がある。特に、ＰＣのような情報処理機器は、熱を利用するのが目的ではないにも関わらず、高速かつ大容量のデータ処理を行うほど消費電力は大きくなり、それに比例して多大な熱が発生することが知られている。
【０００６】
一般的にどのような電気機器であっても、投入された電力をその機器の本来の目的に全て使用することは困難であり、消費電力の一部あるいは大部分は熱の形で外部に放出される。このため、空調装置が暖房運転を行う際に、これら他の電気機器から放出される熱により室温が設定温度を超える可能性がある。
【０００７】
また、これらの電気機器は暖房を目的としないものを含むため、空調装置が冷房運転を行う際にも使用される。このため、空調装置が、冷房運転時において、設定温度まで室温を低下させることができなかったり、設定温度に到達させるまで長時間を要する場合がある。従って、暖房運転時、冷房運転時ともに、快適性が損なわれるばかりでなく、無駄なエネルギーを消費してしまうという問題がある。
【０００８】
本発明は、上述のような課題を解決するためになされたもので、同室に他の電気機器等が設置されている場合でも、使用者に対する快適性を向上させて、エネルギー消費量の削減を実現することができる空調装置、空調システムおよび空調制御方法を得ることを目的とする。
【課題を解決するための手段】
【０００９】
上述した課題を解決し、目的を達成するために、本発明にかかる空調装置は、電気機器とネットワークで接続された空調装置であって、前記空調装置が設置されている室内の温度を検知する温度検出手段と、前記電気機器から、前記電気機器の消費電力と動作状態を取得する取得手段と、取得した消費電力および動作状態と前記室内の温度とに基づいて、前記室内の温度から目標の設定温度に到達するまでの第１設定温度到達時間を算出する算出手段と、前記第１設定温度到達時間と所定の第１基準時間との大小を判断する判断手段と、判断の結果に基づいて所定の処理を行う制御手段と、を備えたことを特徴とする。
【００１０】
また、本発明にかかる空調システムは、電気機器と、空調を制御する空調装置とを備えた空調システムであって、前記空調装置は、前記空調装置が設置されている室内の温度を検知する温度検出手段と、前記電気機器から、前記電気機器の消費電力と動作状態を受信する取得手段と、取得した消費電力および動作状態と前記室内の温度とに基づいて、前記室内の温度から目標の設定温度に到達するまでの第１設定温度到達時間を算出する算出手段と、前記第１設定温度到達時間と所定の第１基準時間との大小を判断する判断手段と、判断の結果に基づいて所定の処理を行う制御手段と、を備え、前記電気機器は、前記消費電力と前記動作状態とを、ネットワークを介して前記空調装置に送信することを特徴とする。
【００１１】
また、本発明にかかる空調制御方法は、電気機器とネットワークで接続された空調装置で実行される空調制御方法であって、前記空調装置が設置されている室内の温度を検知する温度検出ステップと、前記電気機器から、前記電気機器の消費電力と動作状態を取得する取得ステップと、取得した消費電力および動作状態と前記室内の温度とに基づいて、前記室内の温度から目標の設定温度に到達するまでの第１設定温度到達時間を算出する算出ステップと、前記第１設定温度到達時間と所定の第１基準時間との大小を判断する判断ステップと、判断の結果に基づいて所定の処理を行う制御ステップと、を含むことを特徴とする。
【発明の効果】
【００１２】
本発明によれば、電気機器から取得した消費電力および動作状態と室内の温度とに基づいて、室内の温度から目標の設定温度に到達するまでの第１設定温度到達時間を算出し、第１設定温度到達時間と所定の第１基準時間との大小を判断して、判断の結果に基づいて所定の処理を行うことで、省エネルギーを実現するとともに、快適性を確保することができるという効果を奏する。
【図面の簡単な説明】
【００１３】
【図１】図１は、実施の形態１にかかるネットワーク協調型空調システムのネットワーク構成図である。
【図２】図２は、実施の形態１にかかるエアコン室内機１００による冷房運転の空調制御の処理手順を示すフローチャートである。
【図３】図３は、実施の形態１のエアコン室内機１００による暖房運転の空調制御の処理手順を示すフローチャートである。
【図４】図４は、実施の形態２にかかるネットワーク協調型空調システムのネットワーク構成図である。
【図５】図５は、実施の形態２にかかるエアコン室内機２００による冷房運転の空調制御の処理手順を示すフローチャートである。
【図６】図６は、実施の形態２の変形例にかかるエアコン室内機２００による冷房運転の空調制御の処理手順を示すフローチャートである。
【図７】図７は、実施の形態３にかかるネットワーク協調型空調システムのネットワーク構成図である。
【図８】図８は、実施の形態３にかかるエアコン室内機３００による冷房運転の空調制御の処理手順を示すフローチャートである。
【図９】図９は、実施の形態４にかかるネットワーク協調型空調システムのネットワーク構成図である。
【図１０】図１０は、実施の形態４にかかるエアコン室内機４００による冷房運転の空調制御の処理手順を示すフローチャートである。
【図１１】図１１は、実施の形態５にかかるネットワーク協調型空調システムのネットワーク構成図である。
【図１２】図１２は、ＬＡＮアダプタ６００のハードウェア構成を示す図である。
【図１３】図１３は、ＬＡＮアダプタ７００のハードウェア構成を示す図である。
【発明を実施するための形態】
【００１４】
以下に、本発明にかかる空調装置、空調システムおよび空調制御方法の実施の形態を図面に基づいて詳細に説明する。なお、この実施の形態によりこの発明が限定されるものではない。
【００１５】
実施の形態１． 
図１は、実施の形態１にかかるネットワーク協調型空調システムのネットワーク構成およびエアコン室内機１００と各外部機器１１０，１２０の機能的構成を示すブロック図である。本実施形態のネットワーク協調型空調システムは、図１に示すように、空調装置としてのエアコン室内機１００と、電気機器としての液晶テレビ１１０及び電熱調理器１２０（以下、「外部機器」という場合もある。）と、が、家庭内ＬＡＮ１０を介して接続されている。また、リモコン１０７は、エアコン室内機１００に接続されている。
【００１６】
リモコン１０７は、エアコン室内機１００と有線もしくは無線接続されており、使用者によるエアコン室内機１００の操作を受け付ける。リモコン１０７は、室温センサ１０８と、操作表示部１０９と、を備えている。室温センサ１０８は、現在の室内温度（室温）を検知する。操作表示部１０９は、利用者による設定温度と、エアコン室内機１００の動作モードとして冷房運転もしくは暖房運転の切り替え指示と、各動作モードの運転強度の指示と、を受け付ける。
【００１７】
エアコン室内機１００は、冷房運転または暖房運転を行い、室内の空調を制御する。ここで、エアコン室内機１００は、エアコン室内機１００とネットワークに接続された電気機器を外部機器として、各外部機器を一意に識別する識別情報を用いて管理する。本実施の形態のエアコン室内機１００は、液晶テレビ１１０（外部機器１）と、電熱調理器１２０（外部機器２）とをそれぞれの識別情報で管理する。
【００１８】
エアコン室内機１００は、Ｉ／Ｆ１０１と、判断部１０２と、算出部１０３と、制御部１０４と、熱交換機１０５と、ＦＡＮ１０６と、を備えている。Ｉ／Ｆ１０１は、エアコン室内機１００のＬＡＮインタフェースであり、液晶テレビ１１０や電熱調理器１２０等の外部機器に対して、家庭内ＬＡＮ１０を介して、各外部機器の消費電力と動作状態の取得要求を送信し、各外部機器から消費電力と動作状態を受信する。
【００１９】
ここで、外部機器の動作状態としては、具体的に、液晶テレビ１１０  の場合には、電源ＯＮ／電源ＯＦＦ／スタンバイモードなどの動作モードや、バックライトの輝度、音量等の設定値の状態等が該当する。また、電熱調理器１２０の場合における動作状態としては、電源ＯＮ／電源ＯＦＦや、ヒータ１２８の強／弱等の強度等が該当する。
【００２０】
算出部１０３は、液晶テレビ１１０や電熱調理器１２０等の外部機器から受信した消費電力と動作状態から公知の手法を用いて外部機器ごとの発熱量を算出し、全ての外部機器の発熱量と、エアコン室内機１００の冷房能力（冷房運転時の場合）あるいは暖房能力（暖房運転時の場合）と、室温センサ１０８で検知した現在の室温とから、公知の手法を用いて、現在の室温から利用者により設定された目標の設定温度に到達するまでの時間である設定温度到達時間ｔｃを算出する。
【００２１】
判断部１０２は、算出された設定温度到達時間ｔｃと予め定められた所定の第１基準時間とを比較して、大小を判断する。
【００２２】
制御部１０４は、エアコン室内機１００が冷房運転をしている場合において、設定温度到達時間ｔｃが第１基準時間よりも大きい場合に、冷房運転の風量等の強度を増加させることにより、室温調整を制御する。また、制御部１０４は、空調装置１００が暖房運転をしている場合において、設定温度到達時間ｔｃが第１基準時間よりも小さい場合に、暖房運転の風量等の強度を減少させることにより、室温調整を制御する。
【００２３】
熱交換機１０５は、冷媒をエアコン室外機（図示せず）との間で循環させることにより、熱交換によって、空気の温度を室温よりも高く（あるいは低く）なるようにする。
【００２４】
ＦＡＮ１０６は、熱交換機により発生させた室温よりも高い（あるいは低い）温度の空気を、温風（または冷風）として室内に送り出す。
【００２５】
液晶テレビ１１０は、テレビ受像機であり、Ｉ／Ｆ１１１と、制御回路１１６と、チューナー１１５と、映像表示部１１７と、を主に備えている。
【００２６】
Ｉ／Ｆ１１１は、ＬＡＮに接続するためのインタフェースであり、液晶テレビ１１０の消費電力および動作状態（電源ＯＮ、電源ＯＦＦ、スタンバイモード、映像表示部１１７のバックライトの輝度や音量等）のデータを家庭内ＬＡＮ１０に送出する。制御回路１１６は、液晶テレビ１１０全体を制御する。チューナー１１５は、放送を受信するための機器である。映像表示部１１７は、チューナーから受信した映像を表示する。
【００２７】
電熱調理器１２０は、Ｉ／Ｆ１２１と、制御回路１２７と、電源部１２６と、ヒーター１２８と、を主に備えている。
【００２８】
制御回路１２７は、電熱調理器１２０の全体を制御する。Ｉ／Ｆ１２１は、家庭内ＬＡＮ１０に接続するためのインタフェースであり、電熱調理器１２０の消費電力および動作状態（電源ＯＮ／電源ＯＦＦ、ヒータ１２８の強／弱等）のデータを家庭内ＬＡＮ１０に送出する。電源部１２６は、電熱調理器１２０の電源ユニットであり、ＡＣ電源線によりＡＣプラグに接続されている。ヒータ１２８は調理用の熱を発生させる。
【００２９】
次に、以上のように構成された実施の形態１にかかるエアコン室内機１００による冷房運転の空調制御処理について説明する。図２は、実施の形態１にかかるエアコン室内機１００による冷房運転の空調制御処理の手順を示すフローチャートである。
【００３０】
ここで、エアコン室内機１００の動作モードは、利用者により予め、冷房運転に設定され、目標の設定温度が設定されているものとする。
【００３１】
まず、算出部１０３は、室温センサ１０８から現在の室温を取得する（ステップＳ２０１）。次に、Ｉ／Ｆ１０１は、液晶テレビ１１０および電熱調理器１２０等の外部機器のそれぞれに対して、各外部機器の消費電力と現在の動作状態の送信要求を行って、各外部機器から、消費電力と現在の動作状態を取得する（ステップＳ２０２）。
【００３２】
次に、算出部１０３は、受信した外部機器の消費電力と動作状態から、外部機器の発熱量を算出する（ステップＳ２０３）。
【００３３】
次に、算出部１０３は、全ての外部機器（本実施形態では、液晶テレビ１００、電熱調理器１２０）からの消費電力と動作状態の取得、発熱量の算出の処理が完了したか否かを判断する（ステップＳ２０４）。全ての外部機器につき上記処理が完了していないと判断した場合（ステップＳ２０４：Ｎｏ）、ステップＳ２０２、Ｓ２０３の処理を繰り返し実行する。
【００３４】
一方、算出部１０３は、全ての外部機器につき上記処理が完了したと判断した場合、（ステップＳ２０４：Ｙｅｓ）、算出された全ての外部機器の発熱量と、現在の室温と、設定温度と、エアコン室内機１００の現在の冷房能力とから、設定温度到達時間ｔｃを算出する（ステップＳ２０５）。
【００３５】
次に、判断部１０２は、算出された設定温度到達時間ｔｃが、所定の第１基準時間よりも大きいか否か判断する（ステップＳ２０６）。算出された設定温度到達時間ｔｃが、第１基準時間以下であると判断した場合（ステップＳ２０６：Ｎｏ）、エアコン室内機１００は、何も処理を行わず、ステップＳ２０１の処理に戻る。
【００３６】
一方、算出された設定温度到達時間ｔｃが、第１基準時間よりも大きいと判断した場合（ステップＳ２０６：Ｙｅｓ）、制御部１０４は、エアコン室内機１００が冷房運転の強度を上げる処理を行う（ステップＳ２０７）。例えば、制御部１０４は、エアコン室内機１００の冷房運転の風量の強度を一段階あげる。これにより、エアコン室内機１００は、短時間で目標の設定温度に到達できるため、省エネルギーを実現することができる。この後、ステップＳ２０１の処理へ移行する。
【００３７】
次に、エアコン室内機１００による暖房運転の空調制御処理について説明する。図３は、実施の形態１にかかるエアコン室内機１００による暖房運転の空調制御処理の手順を示すフローチャートである。
【００３８】
ここで、エアコン室内機１００の動作モードは、利用者により予め、暖房運転に設定され、目標の設定温度が設定されているものとする。
【００３９】
室温の取得処理（ステップＳ３０１）、全ての外部機器からの消費電力と動作状態の取得（ステップＳ３０２）、発熱量の算出の処理（ステップＳ３０３）、全ての外部機器につきこれらの処理が完了したか否かの判断処理（ステップＳ３０４）については、冷房運転時の空調制御処理におけるステップＳ２０１からＳ２０４までの処理と同様に行われる。
【００４０】
全ての外部機器につき上記処理を完了した場合には（ステップＳ３０４：Ｙｅｓ）、算出部１０３は、算出された全ての外部機器の発熱量と、室温と、設定温度と、エアコン室内機１００の現在の暖房能力とから、設定温度到達時間ｔｃを算出する（ステップＳ３０５）。
【００４１】
そして、判断部１０２は、算出された設定温度到達時間ｔｃが、第１基準時間よりも小さいか否か判断する（ステップＳ３０６）。算出された設定温度到達時間ｔｃが、第１基準時間以上であると判断した場合（ステップＳ３０６：Ｎｏ）、室温調整制御部１０４は、何も処理を行わず、ステップＳ３０１の処理に戻る。
【００４２】
一方、算出された設定温度到達時間ｔｃが、第１基準時間よりも小さいと判断した場合（ステップＳ３０６：Ｙｅｓ）、制御部１０４は、エアコン室内機１００が設定温度に到達するまでの時間を基準時間よりも短くする必要性はないとみなし、エアコン室内機１００の暖房能力を下げる処理を行う（ステップＳ３０７）。
【００４３】
例えば、室温調整制御部１０４は、エアコン室内機１００の暖房運転の風量の強度を一段階小さくする。これにより、エアコン室内機１００は、外部機器の発熱量を効率的に利用して、省エネルギーを実現することができる。
【００４４】
このように本実施の形態では、エアコン室内機１００が冷房運転を行っている場合で、設定温度到達時間ｔｃが第１基準時間より大きい場合に、冷房運転の強度を上げることにより、短時間で目標の設定温度に到達できるため、省エネルギーを実現することができる。
【００４５】
また、本実施の形態では、エアコン室内機１００が暖房運転を行っている場合で、設定温度到達時間ｔｃが第１基準時間より小さい場合に、暖房運転の強度を下げることにより、外部機器の発熱量を効率的に利用して、省エネルギーを実現することができる。
【００４６】
実施の形態２．
実施の形態１にかかるエアコン室内機１００は、第１基準時間と設定温度到達時間ｔｃの大小の比較結果により、冷房運転の強度の増加、あるいは暖房運転の強度の減少を行っていたが、実施の形態２では、設定温度到達時間ｔｃと、外部機器の動作状態を電源ＯＦＦにした場合における目標温度までに到達するまでの設定温度到達時間ｔｋ＿ｏｆｆとの差分を算出し、この差分と第２基準時間とを比較して、比較結果に応じて、外部機器の動作状態を電源ＯＦＦにすべき旨を利用者に報知する。
【００４７】
図４は、実施の形態２にかかるネットワーク協調型空調システムのネットワーク構成およびエアコン室内機２００と各外部機器１１０，１２０の機能的構成を示すブロック図である。実施の形態２にかかるネットワーク協調型空調システムは、図４に示すように、エアコン室内機２００と、電気機器としての液晶テレビ１１０及び電熱調理器１２０と、が家庭内ＬＡＮ１０を介して接続されている。ここで、液晶テレビ１１０及び電熱調理器１２０の機能および構成については実施の形態１と同様である。
【００４８】
エアコン室内機２００は、Ｉ／Ｆ１０１と、判断部２０２と、算出部２０３と、制御部２０４と、熱交換機１０５と、ＦＡＮ１０６と、を備えている。Ｉ／Ｆ１０１、熱交換機１０５、ＦＡＮ１０６の機能は実施の形態１と同様である。また、外部機器から受信する消費電力、動作状態についても実施の形態１と同様である。
【００４９】
算出部２０３は、実施の形態１と同様に、液晶テレビ１１０や電熱調理器１２０等の外部機器から受信した消費電力と動作状態から公知の手法を用いて外部機器ごとの発熱量を算出し、全ての外部機器の発熱量と、エアコン室内機１００の冷房能力と、室温センサ１０８で検知した現在の室温とから、公知の手法を用いて、現在の室温から利用者により設定された目標の設定温度に到達するまでの時間である設定温度到達時間ｔｃを算出する。
【００５０】
また、本実施の形態では、算出部２０３は、さらに、各外部機器の動作状態を、外部機器の発熱量が現在の発熱量より低い状態としての電源ＯＦＦの状態にした場合における、室温から目標の設定温度に到達するまでの設定温度到達時間ｔｋ＿ｏｆｆを、エアコン室内機１００の冷房能力と、室温センサ１０８で検知した現在の室温とから、公知の手法を用いて算出する。
【００５１】
判断部２０２は、算出部２０３で算出された設定温度到達時間ｔｃと設定温度到達時間ｔｋ＿ｏｆｆの差分が予め定められた第２基準時間と比較して、大小を判断する。
【００５２】
制御部２０４は、エアコン室内機２００が冷房運転をしている場合において、設定温度到達時間ｔｃと設定温度到達時間ｔｋ＿ｏｆｆの差分が第２基準時間よりも大きい場合に、外部機器の電源をＯＦＦにする旨のメッセージを報知する。
【００５３】
報知の手法としては、任意であり、例えば、液晶テレビ１１０の映像表示部１１７を用いることができる。すなわち、エアコン室内機２００のＩ／Ｆ１０１が家庭内ＬＡＮ１０を介して、エアコン室内機２００からの上記メッセージを液晶テレビ１１０に送信し、液晶テレビ１１０の映像表示部１１７に表示することができる。このようなメッセージとしては、例えば、「電熱調理器の使用により、冷房効率が低下しています。電熱調理器の使用を中止し、電源を切ることをおすすめします」、「液晶テレビの使用により、冷房効率が低下しているため、液晶テレビの電源を切ることをおすすめします。」などと表示することが考えられる。
【００５４】
また、他のメッセージとして、算出した設定温度到達時間ｔｃおよび設定温度到達時間ｔ２＿ｏｆｆを用いて、「電熱調理器の使用により、冷房効率が低下しています。設定温度に達するのに（設定温度到達時間ｔｃ）分必要です。電熱調理器の使用を中止することにより設定温度への到達が（設定温度到達時間ｔｋ＿ｏｆｆ）分に短縮されます」などと具体的に時間を表示しても良い。
【００５５】
また、液晶テレビ１１０の映像表示部１１７は、メッセージ表示機能を有していない場合には、例えば、エアコン室内機２００のリモコン１０７に設けられた操作表示部１０９に上記メッセージを表示することにより使用者に報知するように構成してもよい。また、メッセージの表示に代えて音声やアラーム音などの手法によって利用者に警告を報知することもできる。このように液晶テレビ１１０を使用しない報知手法であれば、例えば液晶テレビ１１０が電源ＯＦＦの場合にも利用者に報知することができるという利点がある。
【００５６】
次に、以上のように構成された実施の形態２にかかるエアコン室内機２００による冷房運転の空調制御処理について説明する。図５は、実施の形態２にかかるエアコン室内機２００による冷房運転の空調制御処理の手順を示すフローチャートである。
【００５７】
室温の取得処理（ステップＳ５０１）、全ての外部機器からの消費電力と動作状態の取得（ステップＳ５０２）、発熱量の算出の処理（ステップＳ５０３）、全ての外部機器につきこれらの処理が完了したか否かの判断処理（ステップＳ５０４）については、実施の形態１の冷房運転時の空調制御処理におけるステップＳ２０１からＳ２０４までの処理と同様に行われる。
【００５８】
全ての外部機器につき上記処理を完了した場合には（ステップＳ５０４：Ｙｅｓ）、算出部２０３は、実施の形態１と同様の手法で、算出された全ての外部機器の発熱量と、室温と、設定温度と、エアコン室内機２００の現在の冷房能力とから、設定温度到達時間ｔｃを算出する（ステップＳ５０５）。
【００５９】
次に、算出部２０３は、外部機器の動作状態を電源ＯＦＦにした場合における上記設定温度到達時間ｔｋ＿ｏｆｆを算出する（ステップＳ５０６）。
【００６０】
次に、判断部２０２は、設定温度到達時間ｔｃと設定温度到達時間ｔｋ＿ｏｆｆとの差分（ｔｃ−ｔｋ＿ｏｆｆ）が、所定の第２基準時間よりも大きいか否かを判断する（ステップＳ５０７）。そして、差分（ｔｃ−ｔｋ＿ｏｆｆ）が、第２基準時間以下である場合（ステップＳ５０７：Ｎｏ）、ステップＳ５０９の処理に移る。
【００６１】
一方、差分（ｔｃ−ｔｋ＿ｏｆｆ）が、第２基準時間よりも大きい場合（ステップＳ５０７：Ｙｅｓ）、制御部２０４は、外部機器を電源ＯＦＦにした時に設定温度に到達する時間を短縮できる効果があると判断し、外部機器を電源ＯＦＦにすべき旨を報知する（ステップＳ５０８）。具体的には、Ｉ／Ｆ１０１を介して外部機器を電源ＯＦＦにすべき旨のメッセージを液晶テレビ１１０に送信して、液晶テレビ１１０の映像表示部１１７に当該メッセージを表示させたり、あるいはエアコン室内機２００の操作表示部１０７に上記メッセージを表示することにより報知を行う。
【００６２】
そして、制御部２０４は、全ての外部機器に対して、ステップＳ５０６，Ｓ５０７，Ｓ５０８の処理を完了したか否かを判断し（ステップＳ５０９）、完了していなければ（ステップＳ５０９：Ｎｏ）、ステップＳ５０６からＳ５０８までの処理を他の外部機器に対して行う。一方、全ての外部機器に対して、ステップＳ５０６からＳ５０８までの処理を完了した場合には（ステップＳ５０９：Ｙｅｓ）、ステップＳ５０１の処理に戻る。
【００６３】
このように、実施の形態２では、エアコン室内機２００の冷房効果が外部機器からの発熱によって低下している場合、他の外部機器の動作状態を電源ＯＦＦ停止にするように利用者に報知するため、エアコン室内機２００の冷房能力を上げることなく、短い時間で設定温度に到達できるため、エネルギー消費量の削減を実現することができる。
【００６４】
実施の形態２の変形例．
実施の形態２にかかるエアコン室内機２００は、外部機器の動作状態を電源ＯＦＦにするよう報知している、外部機器の動作状態を、発熱量の少ない動作状態に切り替えるように利用者に報知するように構成してもよい。このような場合の実施の形態２の変形例について以下説明する。
【００６５】
本変形例の算出部２０３は、設定温度到達時間ｔｃを算出する他、外部機器の動作状態を、外部機器の現在の発熱量、現在の室温、切り換え後の外部機器の動作状態の発熱量、エアコン室内機の冷房能力等から、現在の動作状態の発熱量より低い発熱量の状態（運転モード）に切り換えた場合における現在の室温から目標の設定温度に到達するまでの設定温度到達時間ｔｋ＿ｌｏｗを算出する。
【００６６】
また、本変形例の判断部２０２は、算出部２０３で算出された設定温度到達時間ｔｃと設定温度到達時間ｔｋ＿ｌｏｗの差分が予め定められた第２基準時間と比較して、大小を判断する。
【００６７】
また、本変形例の制御部２０４は、エアコン室内機２００が冷房運転をしている場合において、設定温度到達時間ｔｃと設定温度到達時間ｔｋ＿ｌｏｗの差分が第２基準時間よりも大きい場合に、外部機器の動作状態を、現在の動作状態の発熱量より低い発熱量の状態に切り換えるべき旨のメッセージを報知する。
【００６８】
現在の動作状態の発熱量より低い発熱量の状態（運転モード）に切り換える場合の例としては、電源ＯＮで通常状態の動作状態からスタンバイモードへ切り換えることがあげられる。また、外部機器が液晶テレビ１１０の場合には、この他、映像表示部１１７の表示輝度を下げた状態に切り換えることなどがあげられる。映像表示部１１７には、例えば、冷陰極管等を用いたバックライトが備えられている。このような液晶テレビ１１０においては冷陰極線管の管電流をインバータ制御によって変化させることで表示輝度を制御する。このため輝度を上げれば消費電力はそれに応じて増加する。投入された電力は光だけでなく熱としても放出されるため、輝度を上げれば発熱は増加し、輝度を下げれば発熱は減少することになる。バックライトとしては冷陰極管以外にもＬＥＤなど他の光源が考えられるが、他の光源においても、輝度と電力そして発熱は正の相関を有する。よって、あらかじめ輝度を低下させる制御値を決めておき、表示輝度を所定の制御値だけ下げた場合の発熱量に基づいて、設定温度に達するのに必要な時間を算出し、これをｔｋ＿ｌｏｗとすればよい。
【００６９】
また、他の例として、音量を抑制した動作状態に切り換えたり、映像表示部１１７の表示解像度を落とした状態に切り換えることにより、画像処理回路の消費電力を抑える手法もあげられる。
【００７０】
図６は、実施の形態２の変形例にかかるエアコン室内機２００による冷房運転の空調制御処理の手順を示すフローチャートである。
【００７１】
室温の取得処理（ステップＳ６０１）、全ての外部機器からの消費電力と動作状態の取得（ステップＳ６０２）、発熱量の算出の処理（ステップＳ６０３）、全ての外部機器につきこれらの処理が完了したか否かの判断処理（ステップＳ６０４）については、実施の形態１の冷房運転時の空調制御処理におけるステップＳ２０１からＳ２０４までの処理と同様に行われる。
【００７２】
全ての外部機器につき上記処理を完了した場合には（ステップＳ６０４：Ｙｅｓ）、算出部２０３は、実施の形態１と同様の手法で、算出された全ての外部機器の発熱量と、室温と、設定温度と、エアコン室内機２００の現在の冷房能力とから、設定温度到達時間ｔｃを算出する（ステップＳ６０５）。
【００７３】
次に、算出部２０３は、外部機器の動作状態を発熱量の低い状態に切り換えた場合における現在の室温から目標の設定温度に到達するまでの設定温度到達時間ｔｋ＿ｌｏｗを算出する（ステップＳ６０６）。
【００７４】
次に、判断部２０２は、設定温度到達時間ｔｃと設定温度到達時間ｔｋ＿ｌｏｗとの差分（ｔｃ−ｔｋ＿ｌｏｗ）が所定の第２基準時間よりも大きいか否かを判断する（ステップＳ６０７）。そして、差分（ｔｃ−ｔｋ＿ｌｏｗ）が、第２基準時間以下である場合（ステップＳ６０７：Ｎｏ）、ステップＳ６０９の処理に移る。
【００７５】
一方、差分（ｔｃ−ｔｋ＿ｌｏｗ）が、第２基準時間よりも大きい場合（ステップＳ６０７：Ｙｅｓ）、制御部２０４は、外部機器の動作状態を現在の発熱量より低い発熱量の状態に切り換えた時に設定温度に到達する時間を短縮できる効果があると判断し、外部機器の動作状態を現在の発熱量より低い発熱量の状態に切り換えるべき旨を報知する（ステップＳ６０８）。具体的には、実施の形態２と同様に、Ｉ／Ｆ１０１を介して、外部機器の動作状態を現在の発熱量より低い発熱量の状態に切り換えるべき旨のメッセージを液晶テレビ１１０に送信して、液晶テレビ１１０の映像表示部１１７に当該メッセージを表示させたり、あるいはエアコン室内機２００の操作表示部１０７に上記メッセージを表示することにより報知を行う。
【００７６】
そして、制御部２０４は、全ての外部機器に対して、ステップＳ６０６，Ｓ６０７，Ｓ６０８の処理を完了したか否かを判断し（ステップＳ６０９）、完了していなければ（ステップＳ６０９：Ｎｏ）、ステップＳ６０６からＳ６０８までの処理を他の外部機器に対して行う。一方、全ての外部機器に対して、ステップＳ６０６からＳ６０８までの処理を完了した場合には（ステップＳ６０９：Ｙｅｓ）、ステップＳ６０１の処理に戻る。
【００７７】
このように、実施の形態２の変形例では、エアコン室内機２００の冷房効果が外部機器からの発熱によって低下している場合、発熱量の少ない動作状態に変更するよう使用者へ報知するため、エアコン室内機２００の冷房能力を上げることなく、短い時間で設定温度に到達できるため、エネルギー消費量の削減を実現することができる。
【００７８】
なお、実施の形態２とその変形例とを組み合わせた構成としてもよい。すなわち、エアコン室内機２００は、それぞれの外部機器の特性を判別し、判別結果に応じて、電源ＯＦＦすべき旨、発熱量の低い状態に切り換える旨のいずれかの報知をするように構成することができる。また、必ずしも、全ての外部機器について動作状態を停止にするか、もしくは動作状態を変更するように報知する必要はなく、発熱量の大きい外部機器のみを対象とするように構成してもよい。
【００７９】
実施の形態３．
実施の形態２およびその変形例では、利用者に対して、外部機器を電源ＯＦＦすべき旨、外部機器を発熱量の低い状態に切り換える旨を報知していたが、実施の形態３では、このような報知に代えて、外部機器の動作状態をエアコン室内機から制御している。
【００８０】
図７は、実施の形態３にかかるネットワーク協調型空調システムのネットワーク構成およびエアコン室内機３００と各外部機器３１０，３２０の機能的構成を示すブロック図である。
【００８１】
実施の形態３にかかるネットワーク協調型空調システムは、図７に示すように、エアコン室内機３００と、電気機器としての液晶テレビ３１０及び電熱調理器３２０（外部機器）と、が家庭内ＬＡＮ１０を介して接続されている。
【００８２】
エアコン室内機３００は、Ｉ／Ｆ１０１と、判断部２０２と、算出部２０３と、制御部３０４と、熱交換機１０５と、ＦＡＮ１０６と、を備えている。Ｉ／Ｆ１０１、熱交換機１０５、ＦＡＮ１０６については、実施の形態１と同様である。また、判断部２０２と、算出部２０３の機能は、実施の形態２の変形例と同様である。また、外部機器から受信する消費電力、動作状態についても実施の形態１と同様である。
【００８３】
本実施の形態の制御部３０４は、エアコン室内機３００が冷房運転をしている場合において、設定温度到達時間ｔｃと設定温度到達時間ｔｋ＿ｌｏｗの差分が第２基準時間よりも大きい場合に、外部機器の動作状態を、現在の発熱量より低い発熱量の状態に切り換える制御を行う。ここで、このような切り換え制御としては、外部機器に、家庭内ＬＡＮ１０を介してエアコン室内機３００から切り換え指令を受信して、切り換え指令に従って動作状態を切り換える機能が備わっている場合、上記切り換え指令を外部機器に送信することがあげられるが、これに限定されるものではない。
【００８４】
外部機器としての液晶テレビ３１０の制御回路３１６は、実施の形態２の機能に加えて、エアコン室内機３００から動作状態の切り換え制御される機能を有している。外部機器としての電熱調理器３２０も同様に、実施の形態２の機能に加えて、エアコン室内機３００から動作状態の切り換え制御される機能を有している。具体的には、家庭内ＬＡＮ１０を介してエアコン室内機３００から切り換え指令を受信して、切り換え指令に従って動作状態を切り換える等があげられるが、これに限定されるものではない。
【００８５】
次に、以上のように構成された実施の形態３にかかるエアコン室内機３００による冷房運転の空調制御処理について説明する。図８は、実施の形態３にかかるエアコン室内機３００による冷房運転の空調制御の処理の手順を示すフローチャートである。
【００８６】
なお、ここでは、切り換え制御として、切り換え指令を外部機器に送信することで、切り換え指令を受信した外部機器が切り換え指令に従って動作状態を切り換えることを例にあげて説明する。
【００８７】
室温の取得から差分（ｔｃ−ｔ＿ｌｏｗ）の第２基準時間との比較判断までの処理（ステップＳ８０１〜Ｓ８０７）については、実施の形態２の変形例におけるステップＳ６０１からＳ６０７までの処理と同様に行われる。
【００８８】
ステップＳ８０７において、差分（ｔｃ−ｔｋ＿ｌｏｗ）が、第２基準時間よりも大きい場合（ステップＳ８０７：Ｙｅｓ）、制御部３０４は、外部機器の動作状態を現在の発熱量より低い発熱量の状態に切り換えた時に設定温度に到達する時間を短縮できる効果があると判断し、外部機器に対して、動作状態を現在の発熱量より低い発熱量の状態に切り換える旨の切り換え指令をＩ／Ｆ１０１を介して送信する（ステップＳ８０８）。
【００８９】
そして、制御部２０４は、全ての外部機器に対して、ステップＳ８０６からＳ８０８までの処理を完了したか否かを判断し（ステップＳ８０９）、完了していなければ（ステップＳ８０９：Ｎｏ）、ステップＳ８０６からＳ８０８までの処理を他の外部機器に対して行う。一方、全ての外部機器に対して、ステップＳ８０６からＳ８０８までの処理を完了した場合には（ステップＳ８０９：Ｙｅｓ）、ステップＳ８０１の処理に戻る。
【００９０】
なお、本実施の形態では、切り換え制御は外部機器の動作状態を切り換えることとしているが、外部機器における発熱量の低い動作状態として、電源ＯＦＦに設定するように制御してもよい。
【００９１】
このように本実施の形態では、エアコン室内機３００の冷房効果が外部機器からの発熱によって低下している場合に、エアコン室内機３００から家庭内ＬＡＮ１０を介して外部機器を制御することによって、外部機器の動作状態を停止する、もしくは発熱量の小さい動作状態に変更し、エアコン室内機３００の冷房能力を上げることなく、短い時間で設定温度に到達できるため、エネルギー消費量の削減が実現できる。
【００９２】
実施の形態４．
実施の形態３では、エアコン室内機３００は家庭内ＬＡＮ１０を介して外部機器を制御していたが、例えば使用者が意図しない状態でテレビの輝度が暗くなる場合に、テレビの利便性を損なう可能性がある。また、実施の形態２にかかるエアコン室内機３００は利用者に対して操作を報知するが、利用者が不在の場合は、所望の効果を得ることが出来ない。
【００９３】
このため、この実施の形態４では、人感センサにより室内に人体の存在を検知していない場合にのみ、外部機器の動作状態の切り換え制御を行っている。
【００９４】
図９は、実施の形態４にかかるネットワーク協調型空調システムのネットワーク構成およびエアコン室内機４００と各外部機器３１０，３２０の機能的構成を示すブロック図である。
【００９５】
実施の形態４にかかるネットワーク協調型空調システムは、図９に示すように、エアコン室内機４００と、電気機器としての液晶テレビ３１０及び電熱調理器３２０（外部機器）と、が家庭内ＬＡＮ１０を介して接続されている。
【００９６】
エアコン室内機４００は、Ｉ／Ｆ１０１と、判断部２０２と、算出部２０３と、制御部４０４と、人感センサ４０１と、熱交換機１０５と、ＦＡＮ１０６と、を備えている。Ｉ／Ｆ１０１、熱交換機１０５、ＦＡＮ１０６については、実施の形態１と同様である。また、判断部２０２と、算出部２０３の機能は、実施の形態２の変形例と同様である。また、外部機器から受信する消費電力、動作状態についても実施の形態１と同様である。
【００９７】
人感センサ４０１は、エアコン室内機４００の設置されている所定の範囲内で人体を検知するセンサである。人感センサを備えたエアコン室内機は従来から存在するが、従来のエアコン室内機は、人感センサの検知信号の受信結果は、エアコン室内機の動作にのみ影響した。しかし、実施の形態４にかかるネットワーク協調型空調システムにおいては、人感センサの検知信号の受信結果は、エアコン室内機の動作にのみならず、外部機器の動作にも影響する。
【００９８】
本実施の形態の制御部４０４は、エアコン室内機４００が冷房運転をしている場合において、設定温度到達時間ｔｃと設定温度到達時間ｔｋ＿ｌｏｗの差分が第２基準時間よりも大きい場合であって、かつ、人感センサ４０１から検知信号を受信していない場合、すなわち、エアコン室内機４００の所定の範囲内に人体が存在しない場合に、外部機器の動作状態を、現在の発熱量より低い発熱量の状態に切り換える制御を行う。なお、切り換え制御の手法については実施の形態３と同様である。
【００９９】
一方、制御部４０４は、エアコン室内機３００が冷房運転をしている場合において、設定温度到達時間ｔｃと設定温度到達時間ｔｋ＿ｌｏｗの差分が第２基準時間よりも大きい場合であって、かつ、人感センサ４０１から検知信号を受信している場合、すなわち、エアコン室内機４００の所定の範囲内に人体が存在する場合に、外部機器の動作状態を、現在の発熱量より低い発熱量の状態に切り換えるべき旨を報知する。なお、報知の手法は、実施の形態２およびその変形例と同様である。
【０１００】
また、外部機器としての液晶テレビ３１０，電熱調理器３２０の機能および構成は実施の形態３と同様である。
【０１０１】
次に、以上のように構成された実施の形態４にかかるエアコン室内機３００による冷房運転の空調制御処理について説明する。図１０は、実施の形態４にかかるエアコン室内機３００による冷房運転の空調制御の処理の手順を示すフローチャートである。
【０１０２】
室温の取得から差分（ｔｃ−ｔ＿ｌｏｗ）の第２基準時間との比較判断までの処理（ステップＳ９０１〜Ｓ９０７）については、実施の形態２の変形例におけるステップＳ６０１からＳ６０７までの処理と同様に行われる。
【０１０３】
ステップＳ９０７において、差分（ｔｃ−ｔｋ＿ｌｏｗ）が、第２基準時間よりも大きい場合（ステップＳ９０７：Ｙｅｓ）、制御部３０４は、さらに、人感センサ４０１から検知信号を受信しているか否かを判断する（ステップＳ９０８）。
【０１０４】
そして、人感センサ４０１から検知信号を受信していない場合には（ステップＳ９０８：Ｎｏ）、エアコン室内機４００の設置された所定の範囲内に人が存在していないと判断して、外部機器に対して、動作状態を現在の発熱量より低い発熱量の状態に切り換える旨の切り換え指令をＩ／Ｆ１０１を介して送信する（ステップＳ９０９）。
【０１０５】
一方、ステップＳ９０８において、人感センサ４０１から検知信号を受信している場合には（ステップＳ９０８：Ｙｅｓ）、エアコン室内機４００の設置された所定の範囲内に人が存在していると判断して、外部機器の動作状態を現在の発熱量より低い発熱量の状態に切り換えるべき旨を報知する（ステップＳ９１０）。
【０１０６】
そして、制御部２０４は、全ての外部機器に対して、ステップＳ９０７からＳ９１０までの処理を完了したか否かを判断し（ステップＳ９１１）、完了していなければ（ステップＳ９１１：Ｎｏ）、ステップＳ９０６からＳ９１０までの処理を他の外部機器に対して行う。一方、全ての外部機器に対して、ステップＳ９０６からＳ９１０までの処理を完了した場合には（ステップＳ９１１：Ｙｅｓ）、ステップＳ９０１の処理に戻る。
【０１０７】
なお、本実施の形態では、切り換え制御は外部機器の動作状態を切り換える制御あるいは切り換える旨の報知を行うこととしているが、外部機器における発熱量の低い動作状態として、電源ＯＦＦに設定する制御あるいは報知を行うように構成してもよい。
【０１０８】
このように、実施の形態４にかかるエアコン室内機４００では、エアコン室内機４００の冷房効果が外部機器からの発熱によって低下している場合に、人感センサ４０１により人体を検知していない場合に、エアコン室内機４００から外部機器を制御し、人体を検知している場合には、外部機器の制御を行わず、報知のみ発しているので、省エネルギーを実現しながらも、利用者が意図しない状態で外部機器の動作状態が切り替わることを防止することができ、ネットワーク協調型空調システムの利便性を向上させることが可能となる。
【０１０９】
なお、人感センサ４０１が人体を検知している場合には、ステップＳ９１０の報知の処理は行わず、かつ何も処理を行わないように構成してもよい。
【０１１０】
また、人感センサ４０１が人体を検知していない場合には、ステップＳ９０９の切り換え制御の処理は行わず、代わりに、切り替えの報知を行い、人感センサ４０１が人体を検知している場合には、ステップＳ９１０の報知の処理は行わず、かつ何も処理を行わないように構成してもよい。
【０１１１】
実施の形態５．
実施の形態１〜４にかかるエアコン室内機おいては、家庭内ＬＡＮ１０に接続するため全ての外部機器はＬＡＮインタフェースを備えている必要があったが、実施の形態５にかかるエアコン室内機は、ＬＡＮインタフェースを備えない外部機器においても、同様にネットワーク協調動作を行うものである。
【０１１２】
図１１は、実施の形態５にかかるネットワーク協調型空調システムのネットワーク構成およびエアコン室内機１００と各外部機器１１０，１７０とＬＡＮアダプタ６００の機能的構成を示すブロック図である。
【０１１３】
実施の形態５にかかるネットワーク協調型空調システムは、図１１に示すように、エアコン室内機１００と、外部機器としての液晶テレビ１１０および電熱調理器１７０とを備えている。
【０１１４】
エアコン室内機１００、液晶テレビ１１０の機能および構成は実施の形態１と同様である。
【０１１５】
本実施の形態の電熱調理器１７０は、実施の形態１〜４に示したＬＡＮインタフェースであるＩ／Ｆを備えておらず、このため、独立では家庭内ＬＡＮ１０に接続不能な構成となっている。このため、本実施の形態では、電熱調理器１７０と仲介機としてのＬＡＮアダプタ６００とを接続し、またＬＡＮアダプタ６００を家庭内ＬＡＮ１０に接続することで、ＬＡＮインタフェースの装備されていない電熱調理器１７０をＬＡＮアダプタ６００を介して家庭内ＬＡＮ１０に接続した構成としている。
【０１１６】
ＬＡＮアダプタ６００は、Ｉ／Ｆ６０２と、電力計測部６１１とを主に備えている。電力計測部６１１は、ＡＣ電源線によりＡＣプラグに接続されている。電力計測部６１１は、電熱調理器１７０の電源部１７１に接続され、電熱調理器１７０に電力供給を行うとともに、電熱調理器１７０の消費電力を計測し、また電熱調理器１７０の動作状態を取得する。Ｉ／Ｆ６０２は、この消費電力と動作状態とを家庭内ＬＡＮを介してエアコン室内機１００に送信するＬＡＮインタフェースである。
【０１１７】
図１２は、ＬＡＮアダプタ６００の詳細な構成を示すブロック図である。ＬＡＮアダプタ６００のＡＣプラグ６０７を家庭用のＡＣコンセントに接続することにより、ＡＣ電源線６０９にＡＣ電源が供給される。ＡＣ電源線６０９はＡＣ出力端子６０６に接続されており、ＡＣ出力端子６０６に、ＬＡＮインタフェースを備えない電熱調理器１７０のような電気機器を接続することにより、電力供給する。
【０１１８】
一方、ＡＣ電源線６０９はＤＣ電源回路６０５にもＡＣ電源を供給する。ＤＣ電源回路６０５はＡＣ電源をＤＣ電源に変換して、マイコン６０３やＬＡＮインタフェース６０２を動作させるのに必要なＤＣ電源を供給する。
【０１１９】
電力計測部６０１は、マイコン６０３と電流検出回路６０４とから構成されている。電流検出回路６０４は、接続された電気機器の消費電力を検出する回路である。例えばカレントトランスなどにより電力線の電流を検出し、抵抗によって電流を電圧に変換してマイコン６０３の内蔵Ａ／Ｄ変換器に入力する。商用電源の電圧は一定であるから、これによりマイコン６０３は消費電力をディジタルデータとして取得することができる。
【０１２０】
マイコン６０３は、Ｉ／Ｆ６０２およびＬＡＮコネクタ６０８を介して消費電力や動作状態のデータを家庭内ＬＡＮ１０に送出する。
【０１２１】
このように本実施の形態では、ＬＡＮアダプタ６００を用いることにより、電熱調理器１７０等の電気機器（外部機器）がＬＡＮインタフェースを備えていない場合でも、エアコン室内機１００がこのような外部機器の消費電力を取得することができる。
【０１２２】
また、本実施の形態では、電熱調理器１７０の消費電力から、電熱調理器１７０の発熱量を推定することができるため、実施の形態１と同様に、エアコン室内機１００の冷房運転の強度を下げる制御によって、設定温度に早く到達できるようになり、快適性が向上する。また、暖房運転の強度を上げる制御によって、無駄なエネルギー消費を抑えることができる。
【０１２３】
なお、本実施の形態において、実施の形態２あるいはその変形例と同様に、電源調理器１７０を電源ＯＦＦにすべき旨の報知や、電熱調理器１７０の動作状態を発熱量の低い状態に切り換える旨の報知を行うように構成してもよい。この場合には、より短時間で設定温度に到達でき、省エネルギーが実現できる。
【０１２４】
また、本実施の形態のＬＡＮアダプタ６００の構成に、図１３に示すように、リレースイッチ７０２を追加するように構成してもよい。これにより、実施の形態３および実施の形態４と同様に、エアコン室内機１００から電熱調理器１７０の電源ＯＦＦを制御したり、動作状態の切り換えを制御することが可能となる。
【０１２５】
図１３に示すように、このＬＡＮアダプタ７００のリレースイッチ７０２は、マイコン６０３により制御され、ＡＣ電源線６０９からＡＣ出力端子６０６に出力されるＡＣ電源をＯＮ／ＯＦＦする。これにより、リレースイッチ７０２をＯＮ（入）にした時は電熱調理器１７０に電源が供給され、リレースイッチ７０２をＯＦＦ（切）にした時には、電源が遮断される。
【０１２６】
このようにＬＡＮアダプタ７００を構成することにより、実施の形態３および実施の形態４と同様にして、電熱調理器１７０の発熱によって設定温度に到達する時間が長くなる場合に、エアコン室内機１００から電熱調理器１７０の電源を遮断することができるので、実施の形態３および実施の形態４と同様の効果を得ることができる。
【０１２７】
さらなる効果や変形例は、当業者によって容易に導き出すことができる。本発明の実施態様は、以上に説明したような特定の実施形態に限定されるものではない。
【符号の説明】
【０１２８】
１０  家庭内ＬＡＮ
１００，２００，３００，４００  エアコン室内機
１０１，１１１，１２１  Ｉ／Ｆ
１０２，２０２  判断部
１０３，２０３  算出部
１０４，２０４，３０４，４０４  制御部
１０５  熱交換機
１０６  ＦＡＮ
１０７  リモコン
１０８  室温センサ
１０９  操作表示部
１１０，３１０  液晶テレビ
１１５  チューナー
１１６，１２７，３１６，３２７  制御回路
１１７  映像表示部
１２０，１７０，３２０  電熱調理器
１２６  電源
１２８  ヒータ
４０１  人感センサ
６００，７００  ＬＡＮアダプタ
６０１  電力計測部
６０２  Ｉ／Ｆ
６０３  マイコン
６０４  電流検出回路
６０５  ＤＣ電源回路
６０６  ＡＣ出力端子
６０７  ＡＣプラグ
６０８  ＬＡＮコネクタ
６０９  ＡＣ電源線
７０２  リレースイッチ
【図１】
2011038705.tif 000003
【図２】
2011038705.tif 000004
【図３】
2011038705.tif 000005
【図４】
2011038705.tif 000006
【図５】
2011038705.tif 000007
【図６】
2011038705.tif 000008
【図７】
2011038705.tif 000009
【図８】
2011038705.tif 000010
【図９】
2011038705.tif 000011
【図１０】
2011038705.tif 000012
【図１１】
2011038705.tif 000013
【図１２】
2011038705.tif 000014
【図１３】
2011038705.tif 000015